(57)【特許請求の範囲】
【請求項１】
ギャップによって互いに隔離されている骨の第１骨部分および第２骨部分の間の相対位置関係を固定するための、骨切り手術用の骨プレートであって、
前記第１骨部分に対して取り付けるための第１取付部分と；
前記第２骨部分に対して取り付けるための第２取付部分と；
第１方向において前記第１取付部分と前記第２取付部分とを連結しているとともに、前記ギャップ内へと張り出していて前記第１骨部分および前記第２骨部分のそれぞれ対応するものに対して係合する第１後方張出棚および第２後方張出棚を備えている、中間部分と；
を具備し、
前記第１および前記第２後方張出棚が、前記第１方向に対して略垂直な第２方向において互いに接近するように傾斜して延在していることを特徴とする骨プレート。
【請求項２】
請求項１に記載されているような、ギャップによって互いに隔離されている骨の第１骨部分および第２骨部分の間の相対位置関係を固定するための、骨プレートにおいて、
前記中間部分が、前記第１後方張出棚を形成する上表面と、前記第２後方張出棚を形成する下表面と、を有していることを特徴とする骨プレート。
【請求項３】
請求項１に記載されているような、ギャップによって互いに隔離されている骨の第１骨部分および第２骨部分の間の相対位置関係を固定するための、骨プレートにおいて、
前記中間部分が、中央部を有し、
この中央部が、低減された水平方向横断面積を有していることを特徴とする骨プレート。
【請求項４】
請求項３に記載されているような、ギャップによって互いに隔離されている骨の第１骨部分および第２骨部分の間の相対位置関係を固定するための、骨プレートにおいて、
前記中央部と、前記第１および前記第２後方張出棚と、が協働することにより、Ｉ字形状梁を形成し、
前記第１および前記第２後方張出棚が、前記中央部よりも、実質的に広い幅を有していることを特徴とする骨プレート。
【請求項５】
請求項１に記載されているような、ギャップによって互いに隔離されている骨の第１骨部分および第２骨部分の間の相対位置関係を固定するための、骨プレートにおいて、
前記第１および前記第２後方張出棚が、前記第１方向に対して垂直な方向において互いに接近するように傾斜して延在していることを特徴とする骨プレート。
【請求項６】
請求項３に記載されているような、ギャップによって互いに隔離されている骨の第１骨部分および第２骨部分の間の相対位置関係を固定するための、骨プレートにおいて、
前記低減された水平方向横断面積を有した前記中央部が、前記第１棚と前記第２棚との間に配置されていることを特徴とする骨プレート。
【請求項７】
請求項１に記載されているような、ギャップによって互いに隔離されている骨の第１骨部分および第２骨部分の間の相対位置関係を固定するための、骨プレートにおいて、
前記中間部分が、前記第１棚と前記第２棚とを連結するセグメントを備え、
このセグメントの前記第１方向に対して垂直な方向における幅が、前記第１棚および前記第２棚の前記第１方向に対して垂直な方向における各幅よりも、実質的に小さいことを特徴とする骨プレート。
【発明の詳細な説明】
【技術分野】
【０００１】
本発明は、一般に、骨切り手術に関するものである。より詳細には、本発明は、骨プレートと開創器アセンブリとを備えた骨切り手術を行うためのシステムに関するものである。さらに詳細には、例示の目的のために図示して説明する特別の実施形態に限定されるものではないけれども、本発明は、中央部分の幅が低減されている骨プレートと、一対をなすジョーを有した開創器アセンブリと、を備えた骨切り手術を行うためのシステムに関するものである。
【背景技術】
【０００２】
様々な整形外科的手術においては、２つの骨部分どうしを互いに相対的に固定された位置関係でもって固定することが、必要とされる。例えば、そのような固定関係は、骨に対して発生した骨折を修復するために必要とされる、あるいは、骨折変形を修正するために必要とされる。骨が適切な向きで再生することができて適切に融合し得るためには、骨部分どうしが、骨再生時に所望の位置関係で固定されることが重要である。
【０００３】
傷害を受けた骨の修復のための様々な外部固定デバイスが、公知である。例えば、米国特許第５，６６２，６５０号明細書という Bailey 氏他による特許文献には、大きな骨の外部固定のための装置が開示されている。この装置は、メインボディと、第１および第２骨ネジクランプと、を備えるものとして図示されている。メインボディは、装置を軸回りに回転可能とするよう機能し、これにより、骨に対しての双方の骨ネジの回転位置を適切なものとする。第１骨ネジクランプを使用することにより、第１骨ネジを装置に対して固定し得るとともに、第１骨ネジを、メインボディに対して軸方向に変位させることができる。同様に、第２骨ネジクランプは、第２骨ネジを装置に対して固定し得るよう機能するとともに、第２骨ネジを、メインボディに対して軸方向に変位させ得るよう、機能する。
【０００４】
骨切り手術においては、隣接する骨部分どうしを互いに固定された位置関係に固定するために、骨プレートを使用することが公知である。例えば、歪みを修正するために行われる脛骨の骨切り手術においては、骨内に楔を切開形成する。この楔は、解剖学的組織の適切な位置合わせを可能とする。この楔は、骨をカットして、ヒンジとして機能する部分を形成することによって、形成される。骨プレートによって互いに固定関係に維持される隣接骨部分どうしの間には、ギャップが形成される。
【０００５】
例えば脛骨の骨切り手術といったような骨切り手術のための公知のシステムは、ある種の用途には適切であることが実証されてはいるけれども、そのようなシステムは、それでもなお、性能を向上させ得るよう、改良する余地が残されている。
【発明の開示】
【課題を解決するための手段】
【０００６】
本発明の利点は、骨グラフトサイトに対してのアクセス性を改良したような、骨切り手術を行うためのシステムを提供し得ることである。
【０００７】
本発明が関連する目的は、骨グラフトサイトに対してのアクセス性を改良し得るよう、中央部分の幅が低減されているような、骨切り手術を行うための骨プレートを提供することである。
【０００８】
本発明の他の利点は、骨ネジの引抜強度と圧縮強度と引っ張り強度と捻れ強度とが増強されているような骨プレートを備えているような、骨切り手術を行うためのシステムを提供し得ることである。
【０００９】
本発明の他の利点は、骨プレートの配置を改良し得るとともに解剖学的組織の位置合わせを改良し得る開創器アセンブリを備えているような、骨切り手術を行うためのシステムを提供し得ることである。
【００１０】
一態様においては、本発明は、ギャップによって互いに隔離されている骨の第１骨部分および第２骨部分の間の相対位置関係を固定するための、骨プレートを提供する。この骨プレートは、第１取付部分と、第２取付部分と、中間部分と、を具備している。第１取付部分は、第１骨部分に対して取り付けられるためのものである。第２取付部分は、第２骨部分に対して取り付けられるためのものである。中間部分は、第１方向において第１取付部分と第２取付部分とを連結しているとともに、低減された中央幅を有している。
【発明を実施するための最良の形態】
【００１１】
本発明の付加的な利点および特徴点は、添付図面を参照しつつ、特許請求の範囲と以下の詳細な説明とを読むことにより、明瞭となるであろう。
【００１２】
本発明は、添付図面と以下の詳細な説明とにより、より完全に理解されるであろう。
【００１３】
図１は、本発明の好ましい実施形態に基づく、骨切り手術を行うためのシステムを示す斜視図であって、第１骨プレートと開創器アセンブリとを備えているとともに、これら第１骨プレートと開創器アセンブリとが、脛骨に対して適用されている状況が示されている。
【００１４】
図２Ａ〜図２Ｃは、本発明の好ましい実施形態における第１骨プレートを示す様々な図である。
【００１５】
図３は、本発明の好ましい実施形態における第２骨プレートを示す正面図である。
【００１６】
図４Ａ〜図４Ｄは、本発明の好ましい実施形態における開創器アセンブリを示す様々な図である。
【００１７】
図５は、本発明の好ましい実施形態における開創器アセンブリの上ハンドルを示す斜視図である。
【００１８】
図６は、本発明の好ましい実施形態における開創器アセンブリの下ハンドルを示す斜視図である。
【００１９】
図７Ａ〜図７Ｄは、本発明の好ましい実施形態における開創器アセンブリの上ジョーを示す様々な図である。
【００２０】
図８は、本発明の好ましい実施形態における開創器アセンブリの下ジョーを示す斜視図である。
【００２１】
図９Ａ〜図９Ｃは、本発明の代替可能な実施形態に基づいて構成された様々な開創器アセンブリを示す図である。
【００２２】
本発明の好ましい実施形態に関しての以下の説明は、本発明の特性を単に例示するためのものであって、本発明の範囲および本発明の用途を限定することを意図したものではない。
【００２３】
まず最初に、図１の斜視図には、本発明の好ましい実施形態に基づいて構成された、骨切り手術を行うためのシステムが、図示されている。このシステムは、主に、第１骨プレート（１０）と、開創器アセンブリ（１２）と、を備えている。骨プレート（１０）は、骨（１４）の第１および第２部分（１４ａ，１４ｂ）に対して取り付けられており、これにより、楔形状ギャップ（１６）によって互いに隔離された第１および第２部分（１４ａ，１４ｂ）の間の相対位置関係を固定している。開創器アセンブリ（１２）は、外科医によって使用されることにより第１および第２部分（１４ａ，１４ｂ）間にギャップ（１６）を所望寸法で形成し終わった後に、ギャップ（１６）から取り外す直前の状況で、図示されている。
【００２４】
図１に示す使用例においては、骨（１４）は、脛骨であるとともに、第１骨プレート（１０）を使用することによって、高い位置での脛骨の骨切り手術のために、第１および第２部分（１４ａ，１４ｂ）の間の相対位置関係が、固定されている。当業者であれば、本発明による技術が、骨部分どうしの間の相対位置関係を固定することが必要とされているような他の外科手術に対しても応用可能であることは、理解されるであろう。
【００２５】
図１の参照を継続しつつ、図２Ａ〜図２Ｃをさらに参照して、本発明による第１骨プレート（１０）について、説明する。第１骨プレート（１０）は、第１取付部分すなわち上取付部分（１８）と、第２取付部分すなわち下取付部分（２０）と、中間部分（２２）と、を備えている。第１取付部分（１８）は、第１骨部分（１４ａ）に対する取付のためのものであり、第２取付部分（２０）は、第２骨部分（１４ｂ）に対する取付のためのものである。中間部分（２２）は、第１取付部分（１８）と、第２取付部分（２０）と、を連結している。好ましい実施形態においては、第１骨プレート（１０）は、一体物として形成されている。１つの適切な材料は、チタン合金である。しかしながら、当業者であれば、当該技術分野において周知であるような他の材料を使用することもできることは、理解されるであろう。
【００２６】
第１骨プレート（１０）は、複数の取付開口（２４）を有するものとして図示されている。各取付開口（２４）は、骨（１４）に対して骨プレート（１０）を固定し得るよう、固定手段（２５）を受領し得るように構成されている。図示の実施形態においては、第１取付部分（１８）は、中間部分（２２）の長手方向中央ライン（２６）の両側においてその中央ラインから等距離のところに離間して配置された各中心を有した一対をなす取付開口（２４）を備えている。同様に、第２取付部分（２０）は、長手方向中央ライン（２６）の両側においてその中央ラインから等距離のところに離間して配置された各中心を有した一対をなす取付開口（２４）を備えている。好ましい実施形態においては、第２取付部分（２０）の各取付開口（２４）のそれぞれ中心どうしは、長手方向中央ライン（２６）に対して略平行であるような第２方向においても、互いに離間している。
【００２７】
好ましい実施形態においては、第１および第２取付部分（１８，２０）は、中央ライン（２６）に対して垂直な方向において湾曲しているものとして示されている。固定手段（２５）どうしの間隔は、固定手段（２５）どうしが離間することによって、骨プレート（１０）の捻れ安定性および圧縮安定性を増大させる。各取付部分（１８，２０）の湾曲は、収束型固定手段（２５）に適合することによって、第１骨プレート（１０）の引抜強度を増大させる。
【００２８】
第１および第２取付部分（１８，２０）は、それぞれ第１および第２棚（２８，３０）を備えている。各棚（２８，３０）は、第１骨プレート（１０）の背面（３２）から張り出している。好ましい実施形態においては、第１および第２後方張出棚（２８，３０）の双方は、中間部分（２２）に隣接して配置されているとともに、全体的にＩ字形状をなす中間部分によって形成されている。第１および第２棚（２８，３０）は、第１および第２骨部分（１４ａ，１４ｂ）の各皮質骨に対して係合するためのフランジを形成している。第１棚と第２棚との間の距離は、ギャップの所望長さに基づいて、選択されている。特に図２Ｂに示すように、第１および第２棚（２８，３０）は、好ましくは、約２°という角度でもって前方側に傾斜している。この前方傾斜により、棚（２８，３０）のより多くの部分を、後方側に配置することができる。
【００２９】
第１骨プレート（１０）の中間部分（２２）は、横断面積が低減されているような中央部分（中央部）を有している。図示の実施形態においては、中間部分のうちの、中央ライン（２６）に対して垂直な方向における中央幅は、中間部分（２２）のうちの、第１取付部分（１８）や第２取付部分（２０）に対して隣接している部分の幅よりも、実質的に小さなものとされている。ある応用においては、中間部分（２２）の中央幅は、約６ｍｍとされる。第１および第２棚（２８，３０）は、好ましくは、中間部分（２２）のうちの、第１取付部分（１８）や第２取付部分（２０）に対して隣接している部分の幅全体にわたって延在している。図示のように、中間部分（２２）の中央部と、第１および第２棚（２８，３０）とは、Ｉ字形梁を形成するようにして、協働する。骨プレート（１０）の中間部分（２２）の中央幅が低減されていることにより、ギャップ（１６）内の骨グラフトサイトに対してのアクセス性が改良される。これに加えて、中間部分（２２）の中央幅が低減されていることは、骨プレート（１０）の配置を容易なものとするとともに、骨グラフト（図示せず）をコンパクトなものとする。
【００３０】
図２Ａ〜図２Ｃに示された特別の骨プレート（１０）は、左脛骨の高所における脛骨骨切り手術に対して使用されることを、意図したものとされている。当業者であれば、本発明による技術を、右脛骨の高所における脛骨骨切り手術に対しても同等に適用し得ることは、理解されるであろう。この代替可能な用途においては、骨プレート（１０）は、中央ライン（２６）に関する鏡像関係でもって構成されることとなる。
【００３１】
図３には、本発明のシステムにおける第２骨プレート（１０’）が示されている。この第２骨プレート（１０’）は、様々な特徴点において、第１骨プレート（１０）と共通している。この理由のために、図３においては、図２Ａ〜図２Ｃにおいて既に説明したものと実質的に同じ部材を明確化するために、同じ符号を使用している。第２骨プレート（１０’）は、特に、左脛骨の高所における骨切り手術に対して使用されるように、構成されている。この場合にも、右脛骨の高所における骨切り手術に関しての同様の骨プレートは、長手方向延在中央ライン（２６）に関する鏡像関係を有することとなる。
【００３２】
第２骨プレート（１０’）は、第１骨プレート（１０）と比較して、主に、第１および第２取付部分（１８，２０）の各々内に形成された取付開口（２４）の数において、相違している。図示のように、第１および第２取付部分（１８，２０）は、２つではなく、３つの取付開口（２４）を備えている。当業者であれば、取付開口（２４）の特定の数を、本発明の範囲内において変更し得ることは、理解されるであろう。
【００３３】
第１取付部分（１８）の付加的な取付開口（２４）は、他の２つの取付開口（２４）の間に位置するとともに、中央ライン（２６）に沿った中心を有するものとして、図示されている。第２取付部分（２０）に関しては、付加的な取付開口（２４）は、下向き延出セグメント（３４）に配置されているとともに、横方向において他の２つの取付開口（２４）の間に位置した中心を有するものとされている。図示の実施形態においては、第２骨プレート（１０’）の付加的な取付開口（２４）は、中央ライン（２６）に沿って略位置合わせされた中心を有している。
【００３４】
次に、図４Ａ〜図８を参照して、本発明における開創器アセンブリ（１２）について説明する。開創器アセンブリ（１２）は、第１ハンドル部材すなわち上ハンドル部材（３６）と、第２ハンドル部材すなわち下ハンドル部材（３８）と、を備えているものとして図示されている。開創器アセンブリ（１２）は、さらに、第１ジョー部材すなわち上ジョー部材（４０）と、第２ジョー部材すなわち下ジョー部材（４２）と、を備えているものとして図示されている。第２ハンドル部材（３８）は、第１ハンドル部材（３６）に対して、第１回転軸（４４）回りに相対移動可能であるようにして、連結されている。
【００３５】
第１ジョー部材（４０）は、第１ハンドル部材（３６）の第１端部（４８）に対して連結された第１端部（４６）を有している。同様に、第２ジョー部材（４２）は、第２ハンドル部材（３８）の第１端部（５２）に対して連結された第１端部（５０）を有している。第２ジョー部材（４２）は、第２回転軸（５８）回りに相対移動可能なようにして、第１ジョー部材（４０）の第２端部（５６）に対して回転可能に連結された第２端部（５４）を有している。好ましい実施形態においては、第２回転軸（５８）は、第１回転軸（４４）に対して略垂直とされている。
【００３６】
第１ジョー部材（４０）の第１端部（４６）は、キャビティ（５８）を形成するものとして図示されている。このキャビティ（５８）は、第１ハンドル部材（あるいは、第１アーム）（３６）の第１端部（４８）に対して突出状態で取り付けられたボール（６０）を、調節可能に受領する。理想的な態様においては、第２ジョー部材（４２）の第１端部（５０）は、キャビティ（５８）を形成しており、このキャビティ（５８）は、第２ハンドル部材（あるいは、第２アーム）（３８）の第１端部（５２）に対して突出状態で取り付けられたボール（６０）を受領する。ボール（６０）と対応キャビティ（５８）との間に形成された関節結合は、各ボール（６０）を挿通しかつ第２回転軸（５８）に対して略平行な各回転軸回りにおいて、第１ジョー（４０）と第２ジョー（４２）との間の相対回転に適合しているとともに、第１アーム（３６）と第２アーム（３８）との間の相対回転に適合している。
【００３７】
開創器アセンブリ（１２）は、さらに、第１アーム（３６）と第２アーム（３８）との間における選択された配向を維持することによって、第１ジョー（４０）と第２ジョー（４２）との間における選択された配向を維持するための、連結部材（６２）を備えたものとして図示されている。図示の実施形態においては、連結部材（６２）は、第１ハンドル部材（３６）の第２端部（６４）に対して取り付けられているとともに、第２ハンドル部材（３８）の第２端部（６６）に対しては、着脱可能に係合可能なものとされている。連結部材（６２）は、第１ハンドル部材（３６）の第２端部（６４）に対して回転可能に取り付けられており、回転ピン（６８）回りに回転可能とされている。連結部材（６２）は、長手方向に沿って複数のラチェット歯（７０）を備えて形成されている。これらラチェット歯は、第２ハンドル（３８）の第２端部（６６）と係合することができるとともに、好ましくは、第１骨部分（１４ａ）と第２骨部分（１４ｂ）との間の切込内へと第１ジョー（４０）および第２ジョー（４２）が完全に挿入されたときに、ギャップ（１６）のサイズを表し得るような目盛を有している。この目盛は、図４Ｄに示されている。
【００３８】
開創器アセンブリ（１２）は、さらに、付勢手段（７２）を備えている。この付勢手段（７２）は、第１および第２ハンドル部材（３６，３８）に対して連結されているとともに、第１ジョー部材（４０）および第２ジョー部材（４２）を、これら第１ジョー部材（４０）および第２ジョー部材（４２）が共通平面内に位置するような第１状態に向けて、付勢するよう機能する。この第１状態は、図４Ｂに図示されている。付勢手段（７２）は、第１および第２スプリング部材（７４，７６）を備えたものとして図示されている。第１スプリング部材（７４）は、第１ハンドル部材（３６）の一端に対して連結されている。同様に、第２スプリング部材（７６）は、第２ハンドル部材（３８）の一端に対して取り付けられている。一方のスプリング部材（７４）は、他方のスプリング部材（７６）の自由端を受領するようなスロット（７８）を、自由端に有している。よって、スプリング部材（７４，７６）は、ハンドル部材（３６，３８）のそれぞれに対して設置されていて、スプリング部材（３６，３８）どうしを互いに離間させる向きのスプリング付勢力をもたらしている。
【００３９】
動作時には、開創器アセンブリ（１２）の第１および第２ジョー（４０，４２）を、これら第１ジョーおよび第２ジョー（４０，４２）を実質的に同一平面的としつつ、第１および第２骨部分（１４ａ，１４ｂ）の間の切込内へと、挿入する。ある用途においては、第１および第２ジョー（４０，４２）は、約３５ｍｍという深さにまで挿入される。第１および第２ハンドル部材（３６，３８）の第１端部（４８，５２）の双方は、半円筒形部分（８０）を備えている。これら半円筒形部分（８０）どうしが協働することにより、幅が低減された周縁グルーブ（８２）を有したシリンダが形成される。キャップ（８４）は、両半円筒形部分（８０）を受領する円筒状開口を形成している。このキャップ（８４）は、蝶ネジ（８６）によって開創器アセンブリ（１２）に対して固定されるとともに、骨（１４）内へのジョー（４０，４２）の挿入時には、ハンマーによる打ち付け面をもたらしている。
【００４０】
第１および第２ハンドル部材（３６，３８）を手動で握り込んだときには、開創器アセンブリ（１２）によって、第１骨部分（１４ａ）と第２骨部分（１４ｂ）との間には、三角形状の楔が開口形成される。第１および第２ハンドル部材（３６，３８）の手動での握り込みは、付勢手段（７２）による付勢力に打ち勝つものとされ、第１ハンドル部材（３６）の第１端部（４８）と、第２ハンドル部材（３８）の第１端部（５２）と、を互いに離間させる。その結果、第２回転軸（５８）回りの相対回転によって、第１ジョー部材（４０）の第１端部（４６）と、第２ジョー部材（４２）の第１端部（５０）と、が互いに離間する向きに付勢される。これにより、第２状態とされる。第２状態は、例えば、図４Ａに示されている。
【００４１】
外科医は、骨（１４）内のギャップを、所望の寸法にまで、押し広げる。骨（１４）内のギャップ（１６）のサイズは、ジョー（４０，４２）が完全に挿入されていることに基づいて、連結部材（６２）のうちの、第２ハンドル部材（３８）の第２端部（６６）に隣接して位置している目盛部分に対応する。ジョー（４０，４２）の構成により、および、これらジョー（４０，４２）の間の相対移動により、骨プレートの配置および解剖学的組織の位置合わせが、改良される。所望のギャップ（１６）が確立形成された後に、骨プレート（１０または１０’）を、複数の固定手段（２５）によって、所望位置に固定する。連結部材（６２）は、第２ハンドル（３８）の第２端部（６６）に対して、係合解除することができる。付勢手段（７２）による付勢力が、第１および第２ジョー（４０，４２）を、同一平面状態へと復帰させる。この時点で、ジョー（４０，４２）を、ギャップ（１６）から取り外すことができる。
【００４２】
骨プレート（１０）を所定に配置した状態で、骨グラフト材料を、ギャップ（１６）内に導入する。中間部分（２２）のうちの、幅が低減されている中央部だけによって、ギャップ（１６）を維持し得ることは、理解されるであろう。このため、骨グラフトサイトに対してのアクセス性が向上する。
【００４３】
さて、図９Ａ〜図９Ｃには、本発明の代替可能な実施形態に基づいて構成された開創器アセンブリ（１０２）が示されている。この開創器アセンブリは、上ジョー（１０４）と下ジョー（１０６）とを備えたものとして示されている。図示の実施形態においては、下ジョー（１０６）は、互いに離間された一対をなす２つのアーム（１０８）を有しており、同様に、上ジョー（１０４）は、互いに離間された一対をなす２つのアーム（１１０）を有している。下ジョー（１０６）の両アーム（１０８）の前方端部どうしは、ピン（１１２）によって、上ジョー（１０４）の両アーム（１１０）の対応端部に対して、連結されている。双方のピン（１１２）は、開放状態と閉塞状態との間にわたって上ジョー（１０４）と下ジョー（１０６）とが相対回転し得るような軸を、形成している。開放状態は、図９Ｃに示されており、閉塞状態は、図９Ｂに示されている。
【００４４】
開創器アセンブリ（１０２）は、さらに、駆動部材（１１４）を備えたものとして示されている。駆動部材（１１４）は、上ジョー（１０４）の端部に形成された開口（詳細には図示されていない）に対して、螺着的に係合する。駆動部材（１１４）を第１の向きに回転させることにより、駆動部材を、上ジョー（１０４）から下向きに突出させることができるとともに、下ジョー（１０６）の端部に対して係合させることができる。この係合により、ジョー（１０４，１０６）どうしを、閉塞状態と開放状態との間にわたって揺動駆動することができる。
【００４５】
開創器アセンブリ（１０２）は、図９Ａにおいては、ハンドルアセンブリ（１１６）に対して係合した状態で図示されている。ハンドルアセンブリは、上ジョー（１０４）に対して着脱可能に係合し得るとともに、骨開口内へと開創器アセンブリ（１０２）を挿入する際の打ち付け面をもたらす。ハンドルアセンブリ（１１６）は、当該技術分野において周知であるような任意の手法によって、開創器アセンブリに対して着脱可能に係合させることができる。例えば、ハンドルアセンブリは、上ジョー（１０４）に形成された開口またはスロットに対して係合させることができる。これに代えて、ハンドルアセンブリ（１１６）は、開創器アセンブリ（１０２）に対して螺着することができる。
【００４６】
上記の説明は、本発明の例示としてのいくつかの実施形態を開示しているに過ぎない。当業者であれば、上記説明によりおよび添付図面により、本発明の精神および範囲を逸脱することなく、上記実施形態に対して様々な変更や修飾や変形を加え得ることは、理解されるであろう。
【図面の簡単な説明】
【００４７】
【図１】本発明の好ましい実施形態に基づく、骨切り手術を行うためのシステムを示す斜視図であって、第１骨プレートと開創器アセンブリとを備えているとともに、これら第１骨プレートと開創器アセンブリとが、脛骨に対して適用されている状況が示されている。
【図２Ａ】本発明の好ましい実施形態における第１骨プレートを示す様々な図である。
【図２Ｂ】本発明の好ましい実施形態における第１骨プレートを示す様々な図である。
【図２Ｃ】本発明の好ましい実施形態における第１骨プレートを示す様々な図である。
【図３】本発明の好ましい実施形態における第２骨プレートを示す正面図である。
【図４Ａ】本発明の好ましい実施形態における開創器アセンブリを示す様々な図である。
【図４Ｂ】本発明の好ましい実施形態における開創器アセンブリを示す様々な図である。
【図４Ｃ】本発明の好ましい実施形態における開創器アセンブリを示す様々な図である。
【図４Ｄ】本発明の好ましい実施形態における開創器アセンブリを示す様々な図である。
【図５】本発明の好ましい実施形態における開創器アセンブリの上ハンドルを示す斜視図である。
【図６】本発明の好ましい実施形態における開創器アセンブリの下ハンドルを示す斜視図である。
【図７Ａ】本発明の好ましい実施形態における開創器アセンブリの上ジョーを示す様々な図である。
【図７Ｂ】本発明の好ましい実施形態における開創器アセンブリの上ジョーを示す様々な図である。
【図７Ｃ】本発明の好ましい実施形態における開創器アセンブリの上ジョーを示す様々な図である。
【図７Ｄ】本発明の好ましい実施形態における開創器アセンブリの上ジョーを示す様々な図である。
【図８】本発明の好ましい実施形態における開創器アセンブリの下ジョーを示す斜視図である。
【図９Ａ】本発明の代替可能な実施形態に基づいて構成された開創器アセンブリを示す様々な図である。
【図９Ｂ】本発明の代替可能な実施形態に基づいて構成された開創器アセンブリを示す様々な図である。
【図９Ｃ】本発明の代替可能な実施形態に基づいて構成された開創器アセンブリを示す様々な図である。
【符号の説明】
【００４８】
１０    第１骨プレート（骨プレート）
１０’  第２骨プレート（骨プレート）
１２    開創器アセンブリ
１４    骨
１４ａ  第１骨部分
１４ｂ  第１骨部分
１６    楔形状ギャップ
１８    第１取付部分
２０    第２取付部分
２２    中間部分
２４    取付開口
２６    中央ライン
２８    第１棚、第１後方張出棚
３０    第２棚、第２後方張出棚
３２    背面
３６    第１ハンドル部材
３８    第２ハンドル部材
４０    第１ジョー部材
４２    第２ジョー部材
４４    第１回転軸
４６    第１端部
４８    第１端部
５０    第１端部
５２    第１端部
５４    第２端部
５６    第２端部
５８    第２回転軸
６２    連結部材
６４    第２端部
６６    第２端部
７２    付勢手段
１０２    開創器アセンブリ
１０４    上ジョー（第１ジョー部材）
１０６    下ジョー（第２ジョー部材）
【図１】
0004468635.tif 000002
【図２Ａ】
0004468635.tif 000003
【図２Ｂ】
0004468635.tif 000004
【図２Ｃ】
0004468635.tif 000005
【図３】
0004468635.tif 000006
【図４Ａ】
0004468635.tif 000007
【図４Ｂ】
0004468635.tif 000008
【図４Ｃ】
0004468635.tif 000009
【図４Ｄ】
0004468635.tif 000010
【図５】
0004468635.tif 000011
【図６】
0004468635.tif 000012
【図７Ａ】
0004468635.tif 000013
【図７Ｂ】
0004468635.tif 000014
【図７Ｃ】
0004468635.tif 000015
【図７Ｄ】
0004468635.tif 000016
【図８】
0004468635.tif 000017
【図９Ａ】
0004468635.tif 000018
【図９Ｂ】
0004468635.tif 000019
【図９Ｃ】
0004468635.tif 000020